(57)【要約】【解決手段】眼球追跡を測定するためのシステムは、主コラムと、ヘッドレストアセンブリとを含むことができるシャシを含むことができる。ヘッドレストアセンブリは、患者にビデオを表示するための刺激スクリーンと、光学ミラーと、眼球追跡カメラと、刺激スクリーンに対して患者の頭部を安定させるための少なくとも１つのヘッドレスト部材と、を含むことができる。システムは、また、主コラムの底部に取り付けられて、主コラムを支持するベースと、主コラムから延在して、ヘッドレストアセンブリを支持するアームと、主コラムに取り付けられ、ユーザにシステムの制御を提供するように構成されるタッチスクリーンインタフェースと、主コラムに収容されて、眼球追跡カメラを制御するカメラコンピュータと、主コラムに収容されて、刺激スクリーン、データ処理及び他の機能を制御するシステムコンピュータと、を含むことができる。【選択図】図１Ａ
2020533156.tif 000002
【特許請求の範囲】
【請求項１】
患者の眼球追跡を測定し、測定された前記眼球追跡を用いて、異常を診断するのを助けるためのシステムであって、前記システムは、
主コラムと、ヘッドレストアセンブリとを備えるシャシを備え、
前記ヘッドレストアセンブリは、
前記患者にビデオを表示するための刺激スクリーンと、
光学ミラーと、
眼球追跡カメラと、
前記刺激スクリーンに対して前記患者の頭部を安定させるための少なくとも１つのヘッドレスト部材と、を備え、
前記システムは、また、
前記主コラムの底部に取り付けられて、前記主コラムを支持するベースと、
前記主コラムから延在して、前記ヘッドレストアセンブリを支持するアームと、
前記主コラムに取り付けられ、ユーザに前記システムの制御を提供するように構成されるタッチスクリーンインタフェースと、
前記主コラムに収容されて、前記眼球追跡カメラを制御するカメラコンピュータと、
前記主コラムに収容されて、前記刺激スクリーン、データ処理及び前記システムの他の機能を制御するシステムコンピュータと、
を備えることを特徴とするシステム。
【請求項２】
更に、前記主コラムに収容されて、前記アームを前記主コラムに対して上下動させる昇降機を備えることを特徴とする、請求項１に記載のシステム。
【請求項３】
更に、前記ベースの底部に取り付けられて、前記システムを地面に沿って車輪移動させる複数の車輪を備え、前記ベース及び前記複数の車輪は、患者のベッド又はガーニーの下にフィットするようなサイズであることを特徴とする、請求項１に記載のシステム。
【請求項４】
更に、前記主コラムに取り付けられて、前記システムを地面に沿って移動させるハンドルを備えることを特徴とする、請求項３に記載のシステム。
【請求項５】
前記シャシの前記主コラムは、更に、スロットを含み、前記アームは、前記スロットを介して上下動して、前記ヘッドレストアセンブリの高さを調節し、前記システムは、更に、前記主コラム内に昇降機構を備え、前記昇降機構は、前記アームに取り付けられて、前記アームを上下動させることを特徴とする、請求項１に記載のシステム。
【請求項６】
前記シャシの前記主コラムは、複数の追加のコンポーネントを収容し、前記コンポーネントは、
電源と、
前記アームに取り付けられて、前記アームを上下動させる昇降機構と、
絶縁トランスと、
を備えることを特徴とする、請求項１に記載のシステム。
【請求項７】
前記ヘッドレストアセンブリは、水平面及び垂直面内で、前記アームに対して相対的に回転するように構成されることを特徴とする、請求項１に記載のシステム。
【請求項８】
前記ヘッドレストアセンブリは、水平面内で両方向に９０度回転して、水平方向に１８０度の全回転をするように、また、垂直面内で下方向に９０度回転して、仰向けになった患者を収容するように構成されることを特徴とする、請求項７に記載のシステム。
【請求項９】
前記ヘッドレストアセンブリは、前記アームの周りの垂直方向の回転内の複数の別個の位置内にロックすることを特徴とする、請求項７に記載のシステム。
【請求項１０】
更に、前記ヘッドレストアセンブリの裏面に２つのボタンを備え、前記２つのボタンは、ソレノイドを作動させて、前記ヘッドレストアセンブリの垂直方向の回転を可能にするように構成されることを特徴とする、請求項７に記載のシステム。
【請求項１１】
更に、前記刺激スクリーンのビデオと共にオーディオを前記患者に提供するための２つの内蔵スピーカを備えることを特徴とする、請求項１に記載のシステム。
【請求項１２】
前記システムコンピュータは、前記患者の前記眼球追跡を記述するスコアを生成するように構成されることを特徴とする、請求項１に記載のシステム。
【請求項１３】
前記スコアは、０から２０の範囲であり、前記スコアは、眼球運動異常のバイナリ分類として解釈され、前記スコアが１０に等しいか又は１０よりも大きい場合、それは、陽性の結果（異常あり）を示し、前記スコアが１０よりも小さい場合、それは、陰性の結果（異常なし）を示すことを特徴とする、請求項１２に記載のシステム。
【請求項１４】
眼球追跡システムを用いて、患者の眼球追跡を測定するための方法であって、前記方法は、
前記眼球追跡システムのタッチスクリーンインタフェースを介して、ユーザによるユーザ情報入力を受信するステップと、
前記タッチスクリーンインタフェースを介して、前記ユーザによる患者情報入力を受信するステップと、
前記眼球追跡システムの刺激スクリーンを介して、前記患者からのビデオ選択を受信するステップと、
前記ビデオ選択に応じて、前記刺激スクリーンに、前記患者に対してビデオを表示するステップと、
前記眼球追跡システムの眼球追跡カメラを介して、前記ビデオの表示中に前記患者の眼球の運動を追跡するステップと、
前記眼球追跡システムのコンピュータプロセッサで、前記患者の眼球の前記ビデオを追跡する能力を示すスコアを生成するステップと、
を含むことを特徴とする方法。
【請求項１５】
前記スコアは、０から２０の範囲であり、前記スコアは、眼球運動異常のバイナリ分類として解釈され、前記スコアが１０に等しいか又は１０よりも大きい場合、それは、陽性の結果（異常あり）を示し、前記スコアが１０よりも小さい場合、それは、陰性の結果（異常なし）を示すことを特徴とする、請求項１４に記載の方法。
【請求項１６】
更に、
前記ユーザからの指示を受信して、前記眼球追跡システムのヘッドレストアセンブリの高さを調節するステップと、
前記指示に応じて、前記ヘッドレストアセンブリを前記眼球追跡システムの主コラムに取り付けるアームを、上方又は下方の少なくとも一方に移動させるステップと、
を含むことを特徴とする、請求項１４に記載の方法。
【請求項１７】
更に、
前記ユーザからの指示を受信して、前記眼球追跡システムのヘッドレストアセンブリの垂直の向きを調節するステップと、
前記指示に応じて、垂直面内で、前記ヘッドレストアセンブリを前記眼球追跡システムの主コラムに取り付けるアームに対して相対的に、前記ヘッドレストアセンブリを回転させるステップと、
を含むことを特徴とする、請求項１４に記載の方法。
【請求項１８】
更に、
前記ユーザからの指示を受信して、前記眼球追跡システムのヘッドレストアセンブリの水平の向きを調節するステップと、
前記指示に応じて、水平面内で、前記ヘッドレストアセンブリを前記眼球追跡システムの主コラムに取り付けるアームに対して相対的に、前記ヘッドレストアセンブリを回転させるステップと、
を含むことを特徴とする、請求項１４に記載の方法。
【発明の詳細な説明】
【技術分野】
【０００１】
〔関連出願の相互参照〕
[0001]  本出願は、ＰＣＴ国際特許出願として、２０１８年９月１２日に出願されており、「眼球追跡システム（ＥＹＥ  ＴＲＡＣＫＩＮＧ  ＳＹＳＴＥＭ）」という名称の２０１７年９月１３日出願の米国仮特許出願第６２／５５８，０６９号に対する優先権の利益を主張するものである。この優先権出願の開示は、その全体が引用によりここで本出願に組み入れられる。
【０００２】
[0002]  本出願は、医療装置、システム及び方法を対象とする。特に、本出願は、眼球追跡デバイス、システム及び方法を対象とする。
【背景技術】
【０００３】
[0003]  多くの中枢神経系損傷及び異常は、神経系内の診断及び位置特定が難しい可能性がある。本出願の譲受人は、眼球追跡測定を用いて、いくつかの異なる中枢神経系損傷及び異常、例えば、これらに限られるものではないが、頭蓋内圧の増大、脳震盪、低減された又は機能損傷された脳神経の機能等の診断及び／又は位置特定を助ける方法及びシステムを開発した。これらの方法及びシステムのいくつかは、米国特許第９，６４２，５２２号及び米国特許出願公開第２０１６／０２７８７１６号及び第２０１７／０１７２４０８号に記載され、これらの全てが引用により本明細書に組み入れられる。
【図面の簡単な説明】
【０００４】
【図１Ａ】一実施形態による眼球追跡を測定するためのシステムの患者に面する側の図である。
【図１Ｂ】一実施形態による眼球追跡を測定するためのシステムの側面図である。
【図１Ｃ】一実施形態による眼球追跡を測定するためのシステムの技術者に面する側の図である。
【図２Ａ】図１Ａ〜図１Ｃのシステムの患者に面する側の斜視図であり、水平面内のシステムのヘッドレストアセンブリ部の調節機能を示す。
【図２Ｂ】図１Ａ〜図１Ｃのシステムの患者に面する側の斜視図であり、垂直面内のシステムのヘッドレストアセンブリ部の調節機能を示す。
【図３】図１Ａ〜図２Ｂのシステムのタッチスクリーンインタフェースの拡大図である。
【図４】一実施形態による眼球追跡システムのタッチスクリーンインタフェースのサインイン表示のスクリーンショットの図である。
【図５】一実施形態による眼球追跡システムのタッチスクリーンインタフェースの患者選択表示のスクリーンショットの図である。
【図６】一実施形態による眼球追跡システムのタッチスクリーンインタフェースの新規患者表示のスクリーンショットの図である。
【図７】一実施形態による眼球追跡システムの刺激スクリーンの患者ビデオ選択表示のスクリーンショットの図である。
【図８】一実施形態による眼球追跡システムのタッチスクリーンインタフェースのカメラセットアップ表示の図である。
【図９】一実施形態による眼球追跡システムのシャシの主コラムのカメラ調節つまみの拡大図である。
【図１０】一実施形態による眼球追跡システムの刺激スクリーンの追跡進行表示のスクリーンショットの図である。
【図１１】一実施形態による眼球追跡システムによって作成される眼球追跡レポート１１０のスクリーンショットの図である。
【発明を実施するための形態】
【０００５】
[0015]  図１Ａ〜図１Ｃ、図２Ａ〜図２Ｂ及び図３を参照すると、一実施形態による眼球追跡・診断システム１０が示されている。システム１０を用いて、患者の眼球運動を追跡し、１つ又はそれ以上の眼球運動異常を診断する。いくつかの実施形態では、システム１０は、少なくとも１つのプロセッサを含み、これにより、更に、眼球運動異常に関連するデータを分析して、神経学的損傷又は異常、例えば、これらに限られるものではないが、頭蓋内圧の増大、脳震盪、低減された又は機能損傷された脳神経の機能の診断及び／又は位置特定を助けることができる。使用時に、刺激ビデオが、システム１０のＬＣＤ刺激スクリーン１２に提示され、患者の眼球運動が、赤外線眼球追跡カメラ１４によって、経時的に追跡される。ヘッドレストアセンブリ１８によって、確実に、刺激スクリーン１２及びカメラ１４に対して、患者の頭部の向きを固定して、着席させた又は仰向けになった患者に調節する。システム１０は、タッチスクリーンインタフェース２６から操作される。システム１０は、検査位置に車輪移動するのに適した車輪付きのシャシ２０を介して一緒に結合される。
【０００６】
[0016]  シャシ２０は、２つの主要部、すなわち、ベース２２によって支持される主コラム２８と、ヘッドレストアセンブリ１８とを含む。ヘッドレストアセンブリ１８は、アーム２４に支持され、アーム２４は、上／下ボタン３８（図１Ｃ及び図３）によって制御される主コラム２８内の電気駆動式の昇降機を用いて、昇降させることができる。アーム２４は、主コラム２８の垂直スロット２９（図１Ａ、図２Ａ、図２Ｂ）を介して上下動する。ベース２２の４つのロックキャスタ３２によって、ユニット全体を移動させることができ、ベース２２は、患者のベッド又はガーニーの下にフィットするようなサイズである。主コラム２８のハンドル３０を用いて、システム１０を適所に押す及び／又は引く。
【０００７】
[0017]  一実施形態では、主コラム２８は、２つのコンピュータ、電源、昇降機構、絶縁トランス、及び他の電気部品を収容するが、これらのいずれも図では見えない。オペレータタッチスクリーンインタフェース２６（本明細書では「オペレータコンソール２６」とも呼ばれる）は、主コラム２８に位置する。
【０００８】
[0018]  ヘッドレストアセンブリ１８は、患者の頭部を安定させるためのチンレスト３４及びフォアヘッドレスト３６と、刺激スクリーン１２と、光路を折り曲げて、よりコンパクトなケーシングを可能にするために用いる光学ミラー１６と、高速度眼球追跡カメラ１４とを含む。図２Ａ及び図２Ｂに示すように、ヘッドレストアセンブリ１８全体は、水平面内で両方向に９０度回転して、水平方向に１８０度の全回転をしたり（図２Ａ）、また、垂直方向に下方に最大９０度まで回転して、仰向けになった患者を収容する（図２Ｂ）ことができる。図示の実施形態では、ヘッドレストアセンブリ１８が適所にロックする、垂直方向の回転内のいくつかの別個の位置がある。ヘッドレストアセンブリ１８の裏面のボタン４０が、ソレノイドを作動させて、アセンブリ１８を垂直方向に回転させてロックすることができる。
【０００９】
[0019]  標準的な１１０ボルトの医療グレードのコードが、システム１０の昇降機構及び４００ワットの電源に電力を供給することができる。電源は、調整直流電源を、コンピュータ、及びヘッドレストアセンブリ１８のソレノイド制御に供給する。
【００１０】
[0020]  システム１０は、２つのコンピュータを含み、これらは、シャシ２０の主コラム２８に収容されるので、図では見えない。カメラコンピュータ（カメラ１４の製造業者と同じ製造業者によって提供することができる）は、リアルタイムオペレーティングシステムの下で、カメラ１４のリアルタイムソフトウェアを実行することができる。カメラコンピュータは、眼の動きのイベント、例えば、衝動性眼球運動（サッカード：ｓａｃｃａｄｅ）、まばたき及び固視を検出し、５００Ｈｚで各眼球の注視座標を計算して、アプリケーションによって必要とされるまで、生データを記憶する。アプリケーションコンピュータは、システム１０のシステムアプリケーションを実行する小型フォームファクタＰＣとすることができる。システムアプリケーションは、ユーザインタフェースを提供し、論理フローを制御し、刺激ビデオを表示し、カメラコンピュータからの生データを処理し、結果を持続的に記憶する。
【００１１】
[0021]  ユーザは、タッチスクリーンインタフェース２６を介して、システムアプリケーションと対話する。刺激スクリーン１２（システム１０の第２のモニタ）は、患者に刺激メディアを表示する。２つの内蔵スピーカが、刺激メディアのオーディオを提供する。
【００１２】
[0022]  いくつかの実施形態では、システム１０の（単複の）プロセッサは、患者の眼球追跡能力を記述するスコアを生成するように構成される。例えば、一実施形態では、システム１０は、０〜２０の範囲のスコアを生成し、スコアは、眼球運動異常のバイナリ分類として解釈され、１０以上は、陽性の結果（異常あり）であり、１０未満は、陰性（異常なし）である。システム１０の動作アルゴリズムは、眼球追跡異常を識別し、スコアを計算する。
【００１３】
眼球追跡カメラ
[0023]  一実施形態では、眼球追跡カメラ１４は、ＥｙｅＬｉｎｋ  １０００  Ｐｌｕｓ  ＵＳＢ（ＳＲ  Ｒｅｓｅａｒｃｈ、オタワ、カナダ）であり、これを用いて、患者の眼球運動を取り込む。カメラ１４は、０．２５〜０．５度の平均精度で、各眼球の毎秒５００フレームの注視データを取り込む。照明装置は赤外線であり、これは、暗い瞳孔眼球追跡を用い、赤外線源がカメラ１４からオフセットされる。この技術は、通常、民族性及び様々な照明条件にわたって、より良好な結果をもたらす。注視追跡は、水平方向に最大３２度、垂直方向に最大２５度の範囲である。被験者の眼とカメラとの間の距離は、５２ｃｍである。表１に、ベンダによって提供されるカメラ１４の仕様を示す。
表１：ＥｙｅＬｉｎｋカメラ仕様
2020533156.tif 000003
【００１４】
眼球追跡コンピュータ
[0024]  上述のように、一実施形態では、カメラ１４は、ＱＮＸオペレーティングシステムを実行する専用リアルタイムコンピュータによって駆動される。表２に、この眼球追跡コンピュータの仕様を示す。
表２：ＥｙｅＬｉｎｋコンピュータ仕様
2020533156.tif 000004
【００１５】
システムアプリケーションコンピュータ
[0025]  上述のように、一実施形態では、システムアプリケーションは、キオスクデバイスとして構成される、Ｗｉｎｄｏｗｓ  １０  Ｐｒｏで動作するミニＩＴＸボード上で実行される。表３に、仕様を示す。
表３：システムアプリケーションコンピュータ仕様
2020533156.tif 000005
【００１６】
刺激ディスプレイ
[0026]  一実施形態による刺激スクリーン１２を用いて、任意の適切な時間の長さ、例えば一実施形態では２２０秒続くことができるビデオを表示する。一実施形態では、刺激スクリーン１２の唯一の目的は、視覚刺激を表示することである。ビデオは、いくつかの所定のビデオの１つとすることができる。これらのビデオは、音楽ビデオ、子供の映画からのクリップ、スポーツクリップ、タレントのパフォーマンス、「リアリティＴＶ」のクリップ等を含むことができる。ビデオの選択は、広い対象グループにアピールするように設計することができる。デバイスのユーザは、どのビデオを表示するかを選択するか、又は患者にどれを観たいかを尋ねることができる。追加のメディア選択は、例えば、ＵＳＢドライブを介してダウンロードすることができる。一実施形態では、ビデオ開口部は、正方形であり、各辺は、可視表示の幅のおよそ１／４である。刺激スクリーン１２の周囲の表示されたビデオの軌跡は、所定の別個の経路、例えば、一実施形態によれば、１辺当たり１０秒の速度で刺激スクリーン１２の外周に沿って５サイクルをたどる。一実施形態では、刺激スクリーン１２は、ＧｅＣｈｉｃ１３０３モニタであり、以下、表４に、仕様を示す。
表４：刺激スクリーン仕様
2020533156.tif 000006
【００１７】
タッチスクリーンインタフェース
[0027]  タッチスクリーンインタフェース２６（「オペレータコンソール」又は単に「タッチスクリーン」と呼ぶこともできる）は、技術者によって用いられて、システムアプリケーションと対話する。図示の実施形態では、タッチスクリーンインタフェース２６は、タッチスクリーンディスプレイのみを含み、これは、キーボード又は他の入力デバイスがないことを意味する。もちろん、代替実施形態は、キーボード又は他の（単複の）入力デバイスを含むことができる。一実施形態では、タッチスクリーンインタフェース２６は、Ｍｉｍｏ  ＵＭ−１０８０ＣＨ−Ｇとすることができ、以下、表５に、仕様を示す。
表５：タッチスクリーンインタフェース仕様
2020533156.tif 000007
ヘッドレストアセンブリ
チンレスト３４及びフォアヘッドレスト３６を用いて、眼球追跡中に、患者の頭部を安定させて、刺激スクリーン１２からの適切な距離を維持する。チンレスト３４は、非毒性、非有害の生分解性プラスチックベークライト樹脂（ポリオキシベンジルメチレングリコールアンハイドライド）から作ることができ、フォアヘッドレスト３６は、ネオプレンが配合された薄いＥＰＤＭ（エチレンプロピレンジエンターポリマー）発泡パッドと、独立気泡構造を有するＳＢＲ（スチレン−ブタジエンゴム）パッドとで被覆されたアルミニウムから構成されて、液体、固体及び気体吸収に耐えることができる。各使用前後に、滅菌アルコール綿棒を用いて、両面を拭くことができる。
【００１８】
システム較正
[0028]  表６の以下の較正情報は、一実施形態によるシステムのコンポーネントに適用される。
表６：システム較正
2020533156.tif 000008
2020533156.tif 000009
【００１９】
動作の原理
[0029]  システム１０は、刺激スクリーン１２の周囲のビデオの動きを観ている間に患者の眼球追跡を測定し、次に、アルゴリズムを用いて、眼球追跡測定からのデータを分析して、時間的評価を用いることによって、臨床的に関連する眼球尺度を抽出する。患者は、刺激スクリーン１２から一定の距離で（一実施形態では）２２０秒間、設定された軌跡で、開口部内部で移動するビデオを観る。各瞳孔の位置を、ビデオがその経時変化で進む際に経過する時間にわたって記録し、時間に対して、及びしたがって互いに関連して眼球を移動させる能力の障害の検出を可能にすることができる。アルゴリズム入力は、個々の（左右の）眼球運動の測定値であり、これらは、スクリーン１２の周囲を動く開口部内で再生される２２０秒のビデオを観ている間に眼が移動する５サイクルにわたって平均される。一実施形態では、アルゴリズム出力は、「ボックススコア」であり、これは、異なる個々のパラメータを有する複数の定数を掛け合わせて、それらの係数を合計することによって算出される。
【００２０】
方法概要
[0030]  以下、一実施形態によるシステム１０の使用の主要なステップの簡単な概要を示す。
１．ユーザ名及びパスワードを用いてログインする。ユーザのログインは、キャッシュされた証明情報に対して検証される。
２．患者情報フィールド（名前、生年月日、性別等）を埋める。患者データは、ローカルにキャッシュされる。
３．サムネイルアイコンをタップすることによって示されるビデオを選択する。
４．次のスクリーンに、患者の顔の画像が、カメラがどこで瞳孔を捜すか及び瞳孔を検出することができるかどうかについての視覚的な手がかりと共に示される。
５．各眼球上をタップして、ソフトウェアに瞳孔位置をロックするように指示する。
６．照明は、デフォルトで７５％に設定されるが、周囲の照明に応じて、５０％又は１００％に設定することができる。
７．オプション：全ての点で瞳孔の取り込みを確実にするために、刺激スクリーンの隅を見るように被験者に頼む。
８．スタートボタンをタップして、眼球追跡を開始する。
９．眼球追跡が進行中である間、眼球が、ほとんどの時間ロックされたままであることを確かめる。品質インジケータは、最後の１５秒間にわたって各眼球について何％のデータがどのように収集されているかを示す。
１０．完了時に、システム１０は、結果を処理して、レポートスクリーンを表示する。ボックススコアの緑色の値は、測定基準が正常範囲内にあることを示す。赤色は、正常から外れていることを示す。
１１．保存及び終了、保存及びやり直し、破棄及び終了、又は破棄及びやり直しを選ぶ。
１２．完了
【００２１】
システムコンピュータ処理概要
[0031]  システム１０の動作の中心は、ソフトウェアが、どのように、眼球追跡カメラからの生の注視データを処理し、ボックススコアを計算するかである。以下、この処理の概要を概略説明する。
１．追跡中に、システム１０は、患者がスクリーン１２の周囲を５回周回するビデオ刺激を観るとき、５００Ｈｚで２２０秒の両眼注視データを収集する。軌跡は、以下の通りである。
ａ．刺激は、左上角で開始して、１０秒間静止したままである。
ｂ．刺激は、刺激スクリーンの外縁の周囲を時計回りに動き、各辺に１０秒、すなわち、各サイクルに４０秒かかる。刺激は、５サイクルに、上部に沿った１辺を追加して、合計２２０秒である。
２．最初及び最後の１０秒のデータは、破棄される。
３．処理は、まず、ブリンクデータを除去する。これらのデータは、処理において「ＮａＮ」になり（数ではない）、後続の全ての処理において無視される。
４．次に、注視データが正規化され、正規化されたデータから、数十個の測定基準が計算され、これらは、患者の追跡を特徴づける。測定基準のいくつかは、左眼と右眼の差を評価する共役値である。
５．次に、最も相関した測定基準を多項式に入れて、０〜２０のボックススコアを生成する。１０未満のスコアは、正常と見なされる。
６．アルゴリズムは、また、生データにあったＮａＮの割合に基づいて、品質スコア（１〜１０であり、１０が最高）を計算する。
【００２２】
[0032]  ここで、図４を参照すると、タッチスクリーンインタフェース２６上に示すことができるサインイン表示５０の一実施形態が示されている。サインイン表示５０は、ユーザサインイン領域５２及びタッチスクリーンキーボード領域５４を含み、後者は、タッチスクリーンインタフェース２６上の標準キーボードを示す。技術者又はシステム１０の他のユーザは、キーボード５４を用いて、このページにサインインすることができる。
【００２３】
[0033]  図５は、患者選択表示６０を示し、これは、サインイン後、ユーザに提示することができる。患者選択表示６０は、新規患者ボタン６２及び既存の患者ボタン６４を含むことができ、ユーザは、これらのボタンを用いて、新規患者又は既存の患者の情報を入力するかどうかを選択する。
【００２４】
[0034]  図６を参照すると、新規患者表示７０が示されている。表示７０は、新規患者情報入力領域７２及びキーボード５４を含む。ユーザは、キーボード５４を用いて、新規患者についての情報を入力することができる。ユーザが、前の表示画面６０で既存の患者を選択する場合、既存の患者に対して同様の表示を提示することができる。
【００２５】
[0035]  図７は、患者ビデオ選択表示８０を示し、これは、刺激スクリーン１２上に、患者に対して表示することができる。ビデオ選択表示８０は、複数行及び列のビデオ選択ボタン８２を含み、各ボタンは、ビデオの画像及びタイトルを含む。患者は、刺激スクリーン１２をタッチすることによって、ビデオ選択ボタン８２の１つを選択することができる。
【００２６】
[0036]  図８を参照すると、カメラセットアップ表示９０が示されている。この表示９０は、タッチスクリーンインタフェース２６上に、ユーザに対して示されて、ユーザがカメラ１４を調節するのを助けることができる。表示９０は、カメラセットアップ領域９２を含むことができ、これは、患者の画像と、照明及び閾値に関する情報とを示すことができる。図９に示すように、シャシ２０の主コラム２８は、カメラ１４の焦点を調節するためのカメラ調節つまみ９４を含むことができる。
【００２７】
[0037]  図１０は、追跡進行表示１００を示し、これも、タッチスクリーンインタフェース２６上に、ユーザに対して示すことができる。追跡進行表示１００は、患者の左右の眼球の画像１０２、及び患者情報、追跡品質情報、眼球追跡プロセスの経過時間等を含むことができる。
【００２８】
[0038]  最後に、図１１は、眼球追跡レポート１１０の例示的な実施形態を示す。レポート１１０は、患者情報、患者の眼球追跡を示す画像、カメラ情報、品質情報、ボックススコア等を含むことができる。
【００２９】
[0039]  上記の説明は、１つ又はそれ以上の診断目的のために、眼球追跡を測定するためのシステム及び方法の一実施形態を完全に説明することを意図しているものである。この説明は、例示のみを意図するものであり、本発明の範囲を限定するものではない。
【符号の説明】
【００３０】
１０  眼球追跡・診断システム
１２  刺激スクリーン
１４  眼球追跡カメラ
１６  光学ミラー
１８  ヘッドレストアセンブリ
２０  シャシ
２２  ベース
２４  アーム
２６  タッチスクリーンインタフェース／オペレータコンソール
２８  主コラム
２９  垂直スロット
３０  ハンドル
３２  ロックキャスタ
３４  チンレスト
３６  フォアヘッドレスト
３８  上／下ボタン
４０  ボタン
５０  サインイン表示
５２  ユーザサインイン領域
５４  タッチスクリーンキーボード領域
６０  患者選択表示
６２  新規患者ボタン
６４  既存の患者ボタン
７０  新規患者表示
７２  新規患者情報入力領域
８０  患者ビデオ選択表示
８２  ビデオ選択ボタン
９０  カメラセットアップ表示
９２  カメラセットアップ領域
１００  追跡進行表示
１０２  患者の左右の眼球の画像
１１０  眼球追跡レポート
【図１Ａ】
2020533156.tif 000010
【図１Ｂ】
2020533156.tif 000011
【図１Ｃ】
2020533156.tif 000012
【図２Ａ】
2020533156.tif 000013
【図２Ｂ】
2020533156.tif 000014
【図３】
2020533156.tif 000015
【図４】
2020533156.tif 000016
【図５】
2020533156.tif 000017
【図６】
2020533156.tif 000018
【図７】
2020533156.tif 000019
【図８】
2020533156.tif 000020
【図９】
2020533156.tif 000021
【図１０】
2020533156.tif 000022
【図１１】
2020533156.tif 000023
【国際調査報告】
2020533156.tif 000024
2020533156.tif 000025
2020533156.tif 000026